(57)【要約】  【課題】  複数種類のスクランブル信号を選択的に使用し、耐性の大きい圧縮データスクランブル配信信号を生成できる圧縮データスクランブル配信装置、その再生装置および配信・再生装置を提供することにある。  【解決手段】  スクランブル部２は、圧縮データを複数のスクランブル方法中の任意のものを用いてスクランブルする。電子透かし埋込み位置データ抽出部３は、電子透かしデータを埋め込む位置のデータを抽出する。ハッシュ値演算部４は、非埋め込み位置のデータｂを基にハッシュ値を求め、暗号化部５は、該ハッシュ値を前記スクランブルに対応する秘密鍵Ｓｋ（ｎ）で暗号化し、暗号化されたハッシュ値ｃを出力する。透かしデータ埋め込み部６は、前記非埋め込み位置のデータｂの透かしデータ埋め込み位置に前記暗号化されたハッシュ値を埋め込み、圧縮データストリームｄとして伝送する。  【選択図】  図１
2006279428.tif 000002
【特許請求の範囲】
【請求項１】
圧縮データに対して、複数のスクランブル方法の中の任意の一つを使用してスクランブルする手段と、
該使用されたスクランブル信号を判別するための信号を電子透かしデータとして前記スクランブル後の圧縮データに埋め込む手段とを具備したことを特徴とする圧縮データスクランブル配信装置。
【請求項２】
請求項１に記載の圧縮データスクランブル配信装置において、
前記電子透かしデータは、暗号化されて埋め込まれることを特徴とする圧縮データスクランブル配信装置。
【請求項３】
請求項１または２に記載の圧縮データスクランブル配信装置において、
前記電子透かしデータは、前記スクランブル後の圧縮データの非埋め込み位置のデータのハッシュ値であることを特徴とする圧縮データスクランブル配信装置。
【請求項４】
請求項１ないし３のいずれかに記載の圧縮データスクランブル配信装置において、
前記スクランブル方法は、段階的にその強さが変わるものであることを特徴とする圧縮データスクランブル配信装置。
【請求項５】
請求項１ないし４のいずれかに記載の圧縮データスクランブル配信装置から配信された圧縮データを受信する手段と、
受信した圧縮データから電子透かしデータを抽出する手段と、
該抽出された電子透かしデータに基づいてデスクランブル方法を決定し、該受信圧縮データをデスクランブルする手段とを具備したことを特徴とする再生装置。
【請求項６】
請求項５に記載の再生装置において、
さらに、前記電子透かしデータを復号する手段を備えたことを特徴とする再生装置。
【請求項７】
請求項５または６に記載の再生装置において、
前記デスクランブルする手段は、前記受信した圧縮データに対して段階的に復号することを特徴とする再生装置。
【請求項８】
圧縮データに対して、複数のスクランブル方法の中の任意の一つを使用してスクランブルする手段と、
該使用されたスクランブル信号を判別するための信号を電子透かしデータとして前記スクランブル後の圧縮データに埋め込む手段とからなる圧縮データスクランブル配信装置と、
該圧縮データスクランブル配信装置から配信された圧縮データを受信する手段と、
受信した圧縮データから電子透かしデータを抽出する手段と、
該抽出された電子透かしデータに基づいてデスクランブル方法を決定し、該受信圧縮データをデスクランブルする手段とからなる再生装置とを、
具備したことを特徴とする圧縮データスクランブル配信・再生装置。
【発明の詳細な説明】
【技術分野】
【０００１】
本発明は圧縮データスクランブル配信装置およびその再生装置に関し、特に電子透かしによる制御を用いた圧縮データスクランブル配信装置、その再生装置および配信・再生装置に関する。
【背景技術】
【０００２】
従来から、電子透かし情報を鍵情報として利用し、デスクランブルを行う方法が、例えば下記の特許文献１および２に提案されている。
【０００３】
すなわち、下記の特許文献１には、別途送られた著作権情報および再生機固有の情報と電子透かし情報を利用して施錠鍵を生成し、それを元にデスクランブルする方法が開示されている。また、特許文献２には、データに対して電子透かしの形で埋め込まれたトリガ信号が存在した場合にデスクランブルを適用し、該トリガ信号が存在しない場合にデスクランブルせずにそのまま出力する方法が開示されている。
【特許文献１】特開２００１−７８００７号公報
【特許文献２】特表２００２−５３４０１６号公報
【発明の開示】
【発明が解決しようとする課題】
【０００４】
しかしながら、前記した特許文献１，２に記されている技術は、いずれも１つのスクランブル信号を用いており、複数種類のスクランブル信号を選択的に使用するすることについては何らの想定もされていない。
【０００５】
本発明は、前記した従来技術に鑑みてなされたものであり、その目的は、複数種類のスクランブル信号を選択的に使用し、耐性の大きい圧縮データスクランブル配信信号を生成できる圧縮データスクランブル配信装置、その再生装置および配信・再生装置を提供することにある。また、他の目的は、複数種類の品質の圧縮データスクランブル配信信号を生成できる圧縮データスクランブル配信装置、その再生装置および配信・再生装置を提供することにある。
【課題を解決するための手段】
【０００６】
前記した目的を達成するために、本発明は、圧縮データスクランブル配信装置において、圧縮データに対して、複数のスクランブル方法の中の任意の一つを使用してスクランブルする手段と、該使用されたスクランブル信号を判別するための信号を電子透かしデータとして前記スクランブル後の圧縮データに埋め込む手段とを具備した点に第１の特徴がある。また、前記電子透かしデータは、暗号化されて埋め込まれる点に第２の特徴がある。
【０００７】
次に、本発明は、再生装置において、圧縮データスクランブル配信装置から配信された圧縮データを受信する手段と、受信した圧縮データから電子透かしデータを抽出する手段と、該抽出された電子透かしデータに基づいてデスクランブル方法を決定し、該受信圧縮データをデスクランブルする手段とを具備した点に第３の特徴がある。また、前記電子透かしデータを復号する手段を備えた点に第４の特徴がある。
【０００８】
さらに、本発明は、前記圧縮データスクランブル配信装置と再生装置とからなる圧縮データスクランブル配信・再生装置を提供する点に第５の特徴がある。
【発明の効果】
【０００９】
本発明によれば、一つの圧縮データに対して、複数のスクランブル方法のうちの任意のものを選択してスクランブルするので、耐性の強い圧縮データスクランブル配信信号を生成できる。
【００１０】
また、再生装置は、予め通知された複数のデスクランブル方法を具備していれば良いので、特別な装置を必要とせず、携帯電話でも再生可能である。
【００１１】
あた、一つの圧縮データに対して、複数のスクランブルを段階的に施すことができるので、携帯電話やネットなどを介して音楽データなどの圧縮データを配信する場合に、ユーザへのサービスの提供及び管理がしやすくなる。
【発明を実施するための最良の形態】
【００１２】
以下に、図面を参照して、本発明を詳細に説明する。
まず、図３に示されているようなＮ種類（ＩＤ（１）〜ＩＤ（Ｎ））のスクランブル方法１〜Ｎ、ならびにそれらに対応する秘密鍵および公開鍵を、前準備として用意しておく。そして、圧縮データスクランブル配信装置（サーバ）は、該Ｎ種類のスクランブル方法を選択的に使用してスクランブルすることができる。一方、その再生装置（クライアント）は、該スクランブル方法に基づくデスクランブル方法および公開鍵を有しているものとする。
【００１３】
次に、図１のブロック図を参照して、本発明の一実施形態の圧縮データスクランブル配信装置の構成および動作を説明する。なお、図１は、該圧縮データスクランブル配信装置の概略の構成を示すブロック図である。
【００１４】
圧縮データ作成部１は、入力データａ例えば音楽データを圧縮し、その圧縮データを作成する。スクランブル部２は、前記ＩＤ（１）〜ＩＤ（Ｎ）の中の任意のスクランブル方法を用いて、前記圧縮データをスクランブルする。以降の説明では、ＩＤ（ｎ）（ここで、１≦ｎ≦Ｎ）に対応するスクランブル方法ｎが選択されたとして説明する。電子透かし埋込み位置データ抽出部３は、電子透かしデータを埋め込む位置のデータを抽出する。電子透かし埋込み位置データ抽出部３で電子透かしを埋め込む位置を除いたデータ（非埋め込み位置のデータ）ｂはハッシュ値演算部４に送られ、該非埋め込み位置のデータｂを基にハッシュ値が求められる。暗号化部５は、該ハッシュ値を前記ＩＤ（ｎ）の秘密鍵Ｓｋ（ｎ）で暗号化し、暗号化されたハッシュ値ｃを出力する。透かしデータ埋め込み部６は、前記電子透かし埋込み位置データ抽出部３からの非埋め込み位置のデータｂの透かしデータ埋め込み位置に前記暗号化されたハッシュ値を埋め込み、圧縮データストリームｄとして伝送する。
【００１５】
なお、前記電子透かしを埋め込む位置のデータは、データの品質にあまり影響のない部分のデータであり、スクランブルを施すデータは、データの品質に影響のある部分のデータであることが好ましい。
【００１６】
次に、図２を参照して、再生装置の構成と動作を説明する。なお、図２は、生成装置の概略の構成を示すブロック図である。
【００１７】
圧縮データ受信部１１は、前記圧縮データスクランブル配信装置から伝送されてきた圧縮データストリームｄを受信する。電子透かし抽出部１２は、該圧縮データから電子透かしデータを抽出する。該電子透かしデータを抽出した後の残データである非埋め込み位置のデータｂはハッシュ値演算部１３に送られ、該データｂを基にハッシュ値が演算される。一方、ハッシュ値復号化部１４は、前記電子透かし抽出部１２で抽出された暗号化ハッシュ値を、前記した全ての公開鍵Ｐｋ（１）〜Ｐｋ（Ｎ）を用いて復号化する。そして、比較部１５は、該公開鍵Ｐｋ（１）〜Ｐｋ（Ｎ）を用いて復号化されたハッシュ値と、前記ハッシュ値演算部１３で求められたハッシュ値とを比較する。この比較により一致するものがあれば、デスクランブル部１６で、該ハッシュ値の復号に用いられた公開鍵Ｐｋ（ｎ）に対応するデスクランブル方法で、前記圧縮データ受信部１１で受信された圧縮データをデスクランブルする。なお、前記ハッシュ値の復号は、該復号されたハッシュ値が前記ハッシュ値演算部１３で求められたハッシュ値と一致した段階で、他の残りの公開鍵を用いた復号化を中止してもよい。
【００１８】
該デスクランブルされた圧縮データは図示されていない圧縮データ再生装置へ送られ再生される。一方、伝送途中等でデータに改竄があった場合には、前記比較部１５で、公開鍵Ｐｋ（１）〜Ｐｋ（Ｎ）を用いて復号化されたハッシュ値の中に、前記ハッシュ値演算部１３で求められたハッシュ値に一致するものがないと判定されて、デスクランブルされることなく圧縮データ再生装置へ送られる、または出力を断念される。
【００１９】
以上のように、この実施形態によれば、圧縮データスクランブル配信装置は、複数のスクランブル方法１〜Ｎの中の任意の方法を用いて圧縮データをスクランブルすることができるから、耐性の大きい圧縮データスクランブル配信信号を生成できるようになる。
【００２０】
次に、前記複数のスクランブル方法１〜Ｎのそれぞれのスクランブルの強さを可変にしておけば、例えば、だんだんスクランブルが強くなるようにしておけば、携帯電話やネット等を介して例えば音楽データをユーザに提供する場合に、最初はスクランブルのないきれいな音の音楽を提供して、ユーザに音楽が気に入るかどうかを聞いてもらい、さらに進んで聞きたい場合には、本発明の再生機能をもたないユーザには音楽の品質が段階的に悪くなるようにすることができる。一方、本発明の再生機能をもつユーザは、最後まできれいな曲を聴くことができる。
【００２１】
また、他の方法として、スクランブル１からＮに向けてスクランブルの強さがだんだん強くなるようにしておき、例えば、図４に示されているように、音楽データ等の圧縮データの導入部分Ｃ（０）にはスクランブルを施さないデータ部分を設け、次の部分Ｃ（１）には弱いスクランブル１を施し、次の部分Ｃ（２）には少し強いスクランブル２を施し、さらに次の部分Ｃ（３）には一番強いスクランブル３を施す等の操作をすることができる。このようにすれば、携帯電話やネット等を介して例えば音楽データをユーザに提供する場合に、その導入部分Ｃ（０）はスクランブルのないきれいな音の音楽を提供して、部分Ｃ（１）、Ｃ（２）、Ｃ（３）と進むにつれて、本発明の再生機能を持たないユーザには、音楽の品質が段階的に悪くなるようにすることができる。
【００２２】
前記の実施形態では、図３に示したＮ種類（ＩＤ（１）〜ＩＤ（Ｎ））のスクランブル方法、ならびにそれらに対応する秘密鍵および公開鍵は固定であったが、本発明はこれに限定されず可変にすることができる。例えば、一日毎、一週間毎などの周期で、変えることができる。この変更は、再生装置に予め通知されているものとする。
【００２３】
また、本発明は音楽データに限定されず、映像データなどにも適用することができる。また、より秘密性を高めるためには、公開鍵証明書を利用し、これをデータに付与して伝送することができる。
【００２４】
本発明者は、圧縮データとしてＩＳＯで定められているＭＰＥＧ−１／２  Ｌａｙｅｒ  III（MP3)を利用した時、携帯端末上で、埋め込み信号に基づいて複数種類のスクランブルの中の所定のデスクランブル方法を求め、該圧縮データを実時間でデスクランブル処理できることをすでに確認している。
【図面の簡単な説明】
【００２５】
【図１】本発明の一実施形態の圧縮データスクランブル配信装置の概略の構成を示すブロック図である。
【図２】本発明の一実施形態の再生装置の概略の構成を示すブロック図である。
【図３】Ｎ種類（ＩＤ（１）〜ＩＤ（Ｎ））のスクランブル方法、ならびにそれらに対応する秘密鍵および公開鍵の説明図である。
【図４】一つの圧縮データに複数のスクランブルを段階的に施す場合の説明図である。
【符号の説明】
【００２６】
１・・・圧縮データ作成部、２・・・スクランブル部、３・・・電子透かし埋め込み位置データ抽出部、４・・・ハッシュ値演算部、５・・・暗号化部、６・・・透かしデータ埋め込み部、１１・・・圧縮データ受信部、１２・・・電子透かし抽出部、１３・・・ハッシュ値演算部、１４・・・ハッシュ値復号化部、１５・・・比較部、１６・・・デスクランブル部。
【図１】
2006279428.tif 000003
【図２】
2006279428.tif 000004
【図３】
2006279428.tif 000005
【図４】
2006279428.tif 000006